(57)【要約】 【課題】  ユニットに自動的にコンフィギュレーションを行い、システム運用の柔軟性、保守管理及び利便性の向上を図る。【解決手段】  スレーブ制御部１１は、プログラマブル論理素子１１ａを持ち、設定された論理データで動作させる。状態通知部１２は、ユニットの機能及び動作状態を通知する。論理データ書き込み部１３は、論理データをプログラマブル論理素子１１ａに書き込む。状態認識部２２は、各ユニットの機能及び動作状態を認識する。論理データ格納部２４は、ユニットの機能毎の論理データを格納する。論理データ送信部２３は、プログラマブル論理素子１１ａに、各ユニットに対応した論理データを自動的に設定するために論理データを送信する。ユニット接続部３０は、どのスロット位置からも同じ信号を任意のスロットに分配してユニット間を接続する。【選択図】  図１
2005136481.tif 000002
【特許請求の範囲】
【請求項１】
信号の伝送を行う伝送システムにおいて、
論理データが書き込まれたプログラマブル論理素子を制御するスレーブ制御部と、ユニットの機能及び動作状態を通知する状態通知部と、受信した論理データを前記プログラマブル論理素子に書き込む論理データ書き込み部と、から構成されるスレーブユニットと、
各ユニットの機能及び動作状態を認識する状態認識部と、機能毎の論理データを格納する論理データ格納部と、認識した状態にもとづき、プログラマブル論理素子に、各ユニットに対応した論理データを自動的に設定するために論理データを送信する論理データ送信部と、から構成されるマスタユニットと、
前記マスタユニット及び前記スレーブユニットのどの挿入用のスロット位置からも同じ信号を他スロットにも分配してユニット間を接続可能とするユニット接続部と、
を有することを特徴とする伝送システム。
【請求項２】
電源立ち上げ時、または運用中に前記スレーブユニットを増設した時、前記状態通知部は、自己のユニットＩＤを前記マスタユニットへ送信し、前記状態認識部は、前記ユニットＩＤから前記スレーブユニットに対応する動作機能を認識し、前記論理データ送信部は、前記スレーブユニットへ動作機能の論理データを送信することを特徴とする請求項１記載の伝送システム。
【請求項３】
前記ユニット接続部は、スロット間を接続する光ファイバと、スロット毎に設けられて、電気信号と光信号とを互いに変換してユニットを前記光ファイバに接続するための光接続制御を行う光接続部と、から構成され、前記光接続部は、ユニット間の伝送がＷＤＭ伝送またはバースト伝送のいずれかに対応した光接続制御を行うことを特徴とする請求項１記載の伝送システム。
【請求項４】
マスタユニット内の前記論理データ格納部は、着脱可能な不揮発性記憶装置を用い、マスタユニットに搭載した状態での論理データの書き換え、ならびにマスタユニットから分離しての書き換え双方を行うことを特徴とする請求項１記載の伝送システム。
【請求項５】
スレーブユニット内の前記論理データ書き込み部は、プログラマブル論理素子に加えて、マイクロプロセッサのメモリ、または初期設定を必要とする素子に対応可能であることを特徴とする請求項１記載の伝送システム。
【発明の詳細な説明】
【技術分野】
【０００１】
本発明は伝送システムに関し、特にプログラミング可能な論理素子を含み、信号の伝送を行う伝送システムに関する。
【背景技術】
【０００２】
近年、電子機器の製品開発スピードの増加に伴い、ゲートアレイ開発コストが増加している。このため、ゲートアレイとしては、ＡＳＩＣ（Application Specific Integrated Circuit）よりもＰＬＤ（Programmable Logic Device）の開発の重要性がより高まっている。
【０００３】
ＡＳＩＣは、特定用途に特化してつくられるＩＣモジュールであり、一度つくられたＡＳＩＣの論理の中身を書き換えることはできない。ＡＳＩＣは、動作速度や論理集積度などの性能は高いが、開発期間が長く、設計コストがかかるといった欠点がある。
【０００４】
一方、ＰＬＤは、製造後でもユーザが論理動作をプログラミングできるＩＣモジュールである。特に論理テーブル（ＬＵＴ：Look Up Table）を含む小さなＬＢ（Logic Block）を組み合わせて設計できるＦＰＧＡ(Field Programmable Gate Array)や、AND−ORアレイ構造を複数個組み合わせたＣＰＬＤ（Complex Programmable Logic Device）はその代表的なものである。ＦＰＧＡ／ＣＰＬＤは、自由度が高く、また、設計コストと開発期間を抑えることができるといった利点を持つ。
【０００５】
ＦＰＧＡ等のＰＬＤに対して、論理動作を設定（プログラミング）することをコンフィギュレーション（configuration）、論理動作を規定するための情報のことをコンフィギュレーション情報（コンフィギュレーション・データ）と呼んでいる。
【０００６】
従来技術として、ＰＬＤで演算処理部を構成して汎用機能を持たせて保守効率の向上を図った技術が提案されている（例えば、特許文献１）。
【特許文献１】特開２００２−１６９６０２号公報（段落番号〔００１２〕〜〔００３４〕，第１図）
【発明の開示】
【発明が解決しようとする課題】
【０００７】
上記の従来技術（特開２００２−１６９６０２号公報）は、演算処理部をＰＬＤで構成して、１つの汎用ユニットで複数機能の実現を図ったシステムである。また、システム運用中に、あるユニットに障害が発生した場合、ユーザは、その障害ユニットの機能をあらかじめコンフィギュレーションしておいた予備ユニットに交換するだけで、障害回復を行うことができる（ＰＬＤのプログラム変更だけで対応が可能である）。
【０００８】
このように、従来技術においては、機能別に複数種類の回路構成のユニットを常備しておく必要がないといった利点はあるが、自動的に障害ユニットが判断されて予備ユニットに交換されるわけではない。したがって、従来技術では、マニュアル操作にてユニット交換が行われることになるが、この場合、障害発生からユニット交換までに大きなタイムラグが発生することになり、運用・保守面での効率及び利便性に欠けるといった問題があった。
【０００９】
本発明はこのような点に鑑みてなされたものであり、ユニットに対して、自動的にコンフィギュレーションを行い、システム運用の柔軟性、保守管理及び利便性の向上を図った伝送システムを提供することを目的とする。
【課題を解決するための手段】
【００１０】
本発明では上記課題を解決するために、図１に示すような、信号の伝送を行う伝送システム１において、論理データが書き込まれたプログラマブル論理素子１１ａを制御するスレーブ制御部１１と、ユニットの機能及び動作状態を通知する状態通知部１２と、受信した論理データをプログラマブル論理素子１１ａに書き込む論理データ書き込み部１３と、から構成されるスレーブユニット１０−１〜１０−ｎと、各ユニットの機能及び動作状態を認識する状態認識部２２と、機能毎の論理データを格納する論理データ格納部２４と、認識した状態にもとづき、プログラマブル論理素子１１ａに、各ユニットに対応した論理データを自動的に設定するために論理データを送信する論理データ送信部２３と、から構成されるマスタユニット２０と、マスタユニット２０及びスレーブユニット１０−１〜１０−ｎのどの挿入用のスロット位置からも同じ信号を他スロットにも分配してユニット間を接続可能とするユニット接続部３０と、を有することを特徴とする伝送システム１が提供される。
【００１１】
ここで、スレーブ制御部１１は、論理データが書き込まれたプログラマブル論理素子を制御する。状態通知部１２は、ユニットの機能及び動作状態を通知する。論理データ書き込み部１３は、受信した論理データをプログラマブル論理素子１１ａに書き込む。状態認識部２２は、各ユニットの機能及び動作状態を認識する。論理データ格納部２４は、機能毎の論理データを格納する。論理データ送信部２３は、認識した状態にもとづき、プログラマブル論理素子１１ａに、各ユニットに対応した論理データを自動的に設定するために論理データを送信する。ユニット接続部３０は、マスタユニット２０及びスレーブユニット１０−１〜１０−ｎのどの挿入用のスロット位置からも同じ信号を他スロットにも分配してユニット間を接続可能とする。
【発明の効果】
【００１２】
本発明の伝送システムは、論理データが書き込まれたプログラマブル論理素子を制御するスレーブユニットに対し、マスタユニットは、スレーブユニットの機能及び動作状態を認識し、認識した状態にもとづき、ユニット内のプログラマブル論理素子に、各ユニットに対応した論理データを自動的に設定する構成とした。これにより、自動的にコンフィギュレーションを行うことができるので、システム運用の柔軟性、保守管理及び利便性の向上を図ることが可能になる。
【発明を実施するための最良の形態】
【００１３】
以下、本発明の実施の形態を図面を参照して説明する。図１は本発明の伝送システムの原理図である。伝送システム１は、スレーブユニット１０−１〜１０−ｎ（総称する場合はスレーブユニット１０）、マスタユニット２０、ユニット接続部３０から構成される。
【００１４】
スレーブユニット１０内のスレーブ制御部１１は、論理演算のプログラミング設定可能なプログラマブル論理素子（以下、ＰＬＤ）１１ａを持ち、論理データが書き込まれたＰＬＤ１１ａを制御する。状態通知部１２は、ユニットの機能及び動作状態を通知する。論理データ書き込み部１３は、マスタユニット２０から送信された論理データを受信してＰＬＤ１１ａに書き込む。
【００１５】
マスタユニット２０内の状態認識部２２は、スレーブユニット１０−１〜１０−ｎに対し、各ユニットの機能及び動作状態を認識する。論理データ格納部２４は、スレーブユニット１０−１〜１０−ｎの機能毎の論理データを格納する。論理データ送信部２３は、スレーブユニット１０−１〜１０−ｎの状態にもとづき、スレーブユニット１０−１〜１０−ｎ内のＰＬＤ１１ａに、各ユニットに対応した論理データを自動的に設定するために論理データを送信する。また、論理データ送信部２３は、あるスレーブユニットに対して該当の論理データを送信済みか否かといった情報も記憶する。
【００１６】
ユニット接続部３０は、どのスロット位置からも同じ信号を任意のスロットに分配できるように配線がなされてユニット間を接続する。例えば、スロットが＃１〜＃ｎまである場合、スロット＃１からスロット＃２へ信号Ａが送信できるならば、他のスロット＃３〜＃ｎに対してもスロット＃１から信号Ａを送信できる配線がなされているということである。
【００１７】
このような配線構造にすることで、１つの共通化した回路構成のユニットで、各種機能を実行できるスレーブユニット１０−１〜１０−ｎ及びマスタユニット２０を、筐体の任意のスロットに対して搭載することができるので、保守の容易化、利便性の向上を図ることが可能になる。
【００１８】
ここで、コンフィギュレーションの動作例について説明する。ユニット接続部３０にスレーブユニット１０−１、１０−２、マスタユニット２０が接続されて、スレーブユニット１０−１がモジュレータ機能、スレーブユニット１０−２がデモジュレータ機能で動作を行うとする。
【００１９】
電源立ち上げ時、まず、スレーブユニット１０−１の状態通知部１２は、自身のユニットＩＤをマスタユニット２０に通知する。マスタユニット２０の状態認識部２２は、スレーブユニット１０−１のユニットＩＤを取得し、そのユニットＩＤからスレーブユニット１０−１の機能がモジュレータであることを認識する。
【００２０】
そして、論理データ送信部２３は、該当の論理データが未送信であることを確認すると、論理データ格納部２４に格納されているスレーブユニット１０−１対応の論理データ（モジュレータユニットとなるための論理データ）を抽出して、スレーブユニット１０−１へ送信する。スレーブユニット１０−１内の論理データ書き込み部１３は、受信した論理データをＰＬＤ１１ａに書き込む（プログラミング設定する）。
【００２１】
次にスレーブユニット１０−２の状態通知部１２は、自身のユニットＩＤをマスタユニット２０に通知する。マスタユニット２０の状態認識部２２は、スレーブユニット１０−２のユニットＩＤを取得し、そのユニットＩＤからスレーブユニット１０−２の機能がデモジュレータであることを認識する。
【００２２】
そして、論理データ送信部２３は、該当の論理データが未送信であることを確認すると、論理データ格納部２４に格納されているスレーブユニット１０−２対応の論理データ（デモジュレータユニットとなるための論理データ）を抽出して、スレーブユニット１０−２へ送信する。スレーブユニット１０−２内の論理データ書き込み部１３は、受信した論理データをＰＬＤ１１ａに書き込む。
【００２３】
このように、本発明では、自動的に論理データが設定されて動作することになるので（上記では電源立ち上げ時を例にしたが、システム運用中にスレーブユニットを増設した場合も同様）、オペレータがコンフィギュレーション・ツールを用いて、個々のＰＬＤに論理データを書き込み、書き込んだＰＬＤを１枚１枚基板に差し込んで、筐体に搭載するといった手間を省くことができ、ユニットを増設する作業も簡易化され、保守効率の向上を図ることができる。
【００２４】
なお、図１ではマスタユニット２０を、スレーブユニット１０−１〜１０−ｎに対するコンフィギュレーションを行う専用ユニットとしたが、スレーブユニット１０−１〜１０−ｎ内のいずれかのユニットに、マスタユニット２０の機能を持たせる構成にしてもよい（または、マスタユニット２０にスレーブユニット１０の機能を持たせる構成でも同じ）。
【００２５】
次にスレーブユニット１０、マスタユニット２０の構成について示す。以降では、論理データをコンフィギュレーション・データと呼ぶ。
図２はスレーブユニット１０の構成を示す図である。スレーブユニット１０は、スレーブ制御部１１、状態通知部１２、コンフィギュレーション・データ書き込み部１３、Ｉ／Ｆ部１４から構成される。
【００２６】
Ｉ／Ｆ部１４は、ユニット接続部３０を介して、自ユニットと、他スレーブユニット及びマスタユニット２０との通信インタフェースを行う。スレーブ制御部１１は、スレーブユニット内の主回路で部分であり、単一または複数のＰＬＤ１１ａを含み、ＰＬＤ１１ａの論理演算にもとづき、自ユニットに割り当てられる機能の動作を実行する。
【００２７】
状態通知部１２は、電源立ち上げ、またはユニット増設時にはユニットＩＤを状態監視信号として送信し、運用時には、スレーブ制御部１１の動作状態を監視して、障害を検知した場合は障害情報を状態監視信号として送信する。コンフィギュレーション・データ書き込み部１３は、マスタユニット２０から送信されたコンフィギュレーション・データをＰＬＤ１１ａに書き込む。
【００２８】
スレーブ制御部１１の構成内容は、ＰＬＤ１１ａに限定されない。図２５にマクロコンピュータ１１ｄとメモリ１１ｃを用いた例の異なる構成のスレーブユニット１０ａを示す。スレーブ制御部１１−１は、メモリ１１ｃ、マイクロコンピュータ１１ｄを含む。
【００２９】
ユニット起動時、マイクロコンピュータ１１ｄは停止状態に置かれている。コンフィギュレーション・データ書き込み部１３は、メモリ１１ｃに対してコンフィギュレーション・データを書き込む。内容はマイクロコンピュータ１１ｄのプログラムである。書き込み終了後、マイクロコンピュータ１１ｄは動作状態へ移行し、メモリ１１ｃ内に書き込まれたプログラムを用いて所定の動作を開始する。
【００３０】
図３はマスタユニット２０の構成を示す図である。マスタユニット２０は、マスタ制御部２１、状態認識部２２、コンフィギュレーション・データ書き込み部２３、コンフィギュレーション・データ格納部２４、コンフィギュレーション・データ送信部２５、Ｉ／Ｆ部２６から構成される。制御卓２７は必要に応じて接続する。
【００３１】
Ｉ／Ｆ部２６は、ユニット接続部３０を介して、自ユニットと、スレーブユニット１０−１〜１０−ｎとの通信インタフェースを行う。マスタ制御部２１は、マスタユニット内の主回路で部分であり、単一または複数のＰＬＤ２１ａを含み、ＰＬＤ２１ａの論理演算にもとづき、自ユニットに割り当てられる機能の動作を実行する。
【００３２】
状態認識部２２は、マスタ制御部２１の動作状態及びスレーブユニット１０から送信された状態監視信号にもとづき、各ユニットの動作状態を認識する。コンフィギュレーション・データ格納部２４は、スレーブユニット１０−１〜１０−ｎ、マスタユニット２０に必要な各種コンフィギュレーション・データを格納する。
【００３３】
コンフィギュレーション・データ書き込み部２３は、自ユニットに必要なコンフィギュレーション・データをコンフィギュレーション・データ格納部２４から抽出して、ＰＬＤ２１ａに書き込む。コンフィギュレーション・データ送信部２５は、状態認識結果にもとづいて、各ユニットに対応したコンフィギュレーション・データをコンフィギュレーション・データ格納部２４から抽出して、スレーブユニット１０−１〜１０−ｎにコンフィギュレーション・データを送信する。また、コンフィギュレーション・データの送信結果（送信済みか否か）といった情報を記憶する。
【００３４】
制御卓２７は、コンフィギュレーション・データそのものの更新を行う場合に接続する。ユニットが所定の動作を行っている最中は、コンフィギュレーション・データ格納部２４は動作していない。このときに制御卓２７を接続し、装置の動作を妨げることなくコンフィギュレーション・データを更新する。
【００３５】
コンフィギュレーション・データ格納部２４は、マスタユニットから物理的に取り外すことが可能である。コンフィギュレーション・データをマスタユニットから離れた場所で作成し、完成した後にマスタユニット上のものと交換することにより、制御卓２７の接続を不用とし、保守性が向上する。
【００３６】
コンフィギュレーション・データ格納部２４には、装置の動作を決定するコンフィギュレーション・データが、複数セットで格納されている。装置の設備状況や機能変更などの要求にもとづき、どのセットのコンフィギュレーション・データを用いるかを選択することができる。データ選択は、状態認識部２２が制御する。
【００３７】
次にスレーブユニット１０に障害が発生した際の予備ユニット切替え動作について説明する。図４は障害発生時の動作を示す図である。ユニット接続部３０にスレーブユニット１０−１〜１０−ｎ、マスタユニット２０、予備ユニット４０が搭載されて、スレーブユニット１０−１〜１０−ｎ、マスタユニット２０は割り当てられた各機能で運用しているとする。また、予備ユニット４０は、スレーブユニット１０−１〜１０−ｎと同じ回路構成であり、ユニット内のＰＬＤにはなにもプログラミングされておらずスタンバイ状態である（主回路の動作は停止している）。
【００３８】
このとき、スレーブユニット１０−１（スレーブユニット１０−１のスレーブ制御部１１）に障害が発生したとする。スレーブユニット１０−１の状態通知部１２は、その旨をマスタユニット２０に通知すると、マスタユニット２０の状態認識部２２で認識される。
【００３９】
マスタユニット２０のコンフィギュレーション・データ送信部２５は、コンフィギュレーション・データ格納部２４からスレーブユニット１０−１対応のコンフィギュレーション・データを抽出し、予備ユニット４０へ送信する（予備ユニット４０の搭載時、予備ユニット４０のユニットＩＤが送信されることにより、マスタユニット２０は予備ユニット４０が搭載されていることを認識済み）。予備ユニット４０のコンフィギュレーション・データ書き込み部は、そのデータを受け取ると、自身のＰＬＤに書き込み、スレーブユニット１０−１の機能を実行する（実際には、マスタユニット２０において、コンフィギュレーション・データ書き込みが終了したことが確認されて、起動信号がマスタユニット２０から予備ユニット４０へ送信することで、予備ユニット４０は可動する）。
【００４０】
このように、本発明では、スレーブユニット１０の障害が発生すると、マスタユニット２０で障害ユニットが判断されて自動的に予備ユニット４０に切り替えられるので（オペレータは、故障ユニットを後で取替えにいけばよい）、システム運用の柔軟性、保守管理及び利便性の向上を図ることが可能になる。
【００４１】
なお、上記の説明では、マスタユニット２０のコンフィギュレーション・データ格納部２４にあらかじめ各ユニットのコンフィギュレーション・データを格納する構成としたが、サーバとマスタユニット２０間で通信を行って、マスタユニット２０がサーバからコンフィギュレーション・データをダウンロードする構成としてもよい。このとき、ダウンロード完了後に、スレーブユニット１０−１〜１０−ｎのいずれかに障害が発生したり、ユニットを増設したような場合には、マスタユニット２０と該当のスレーブユニット間だけでコンフィギュレーション動作が実行される。
【００４２】
次にコンフィギュレーション動作の他の実施の形態について説明する。上記の説明では、スレーブユニット１０−１〜１０−ｎのユニットＩＤと、各種コンフィギュレーション・データとをあらかじめ対応させておいて自動設定を行ったが、実装されたスレーブユニットの枚数に応じて、マスタユニット２０が最適な機能の割り振りを判断することで自動設定することもできる。
【００４３】
この場合、マスタユニット２０は、機能割り振りを行うための組み合わせテーブルを持っている。組み合わせテーブルは、ユニットの実装数と設定機能との最適な組み合わせを記したテーブルである。
【００４４】
例えば、スレーブユニット１０−１〜１０−６が実装された場合、６つのユニットＩＤが送られることで、マスタユニット２０の状態認識部２２では、６枚のスレーブユニットが実装されたことを認識する。
【００４５】
すると、状態認識部２２は、内部に含む組み合わせテーブルを参照して、該当の実装数に対応する機能を認識する（例えば、実装数＝６：モジュレータ×２、デモジュレータ×２、制御×１）。コンフィギュレーション・データ送信部２５は、該当のコンフィギュレーション・データをコンフィギュレーション・データ格納部２４から抽出し、各スレーブユニット１０−１〜１０−６へ送信する。このような構成にすることで、実装枚数に対応した最適な機能の選択を行うことが可能になる。
【００４６】
次に障害に関連したコンフィギュレーション動作の他の実施の形態について説明する。上記の説明では、スレーブユニット１０−１〜１０−ｎのいずれかに障害が発生して、その旨を認識した後に、予備ユニット４０へコンフィギュレーション・データを送信して、ユニット交換を自動的に行う構成としたが、障害発生の起こる確率の高いスレーブユニットをあらかじめ認識しておき、そのスレーブユニットのコンフィギュレーション・データを予備ユニット４０へ前もって設定しておくこともできる。
【００４７】
この場合、スレーブユニット１０−１〜１０−ｎが運用中、各ユニットの状態通知部１２は、障害確率情報をマスタユニット２０へ定期的に送信する。障害確率情報としては、各スレーブユニットでそれぞれカウントしたスレーブ制御部１１内のデータ誤り等のカウント数、メモリ搭載の場合は障害ワード数、Work／Protectionの２系構成の場合は、どちらかに障害が発生したときの系情報、ユニットの製造年月日、または経験から障害確率が高いとみなしたユニット（共通の回路構成であっても動作周波数等によって差がでる）のユニットＩＤなどが挙げられる。
【００４８】
マスタユニット２０内の状態認識部２２は、受信した障害確率情報にもとづいて、障害発生可能性の高いスレーブユニットを判断する。コンフィギュレーション・データ送信部２５は、障害発生可能性が高いと判断されたスレーブユニットの動作機能のコンフィギュレーション・データを、予備ユニット４０にあらかじめ送信しておく。そして、実際に障害発生を状態認識部２２で認識した場合には、コンフィギュレーション・データ送信部２５は、予備ユニット４０に起動信号を送信する。このような構成にすることで、さらに高速に障害発生時に対応したコンフィギュレーション動作を行うことが可能になる。
【００４９】
次にユニット接続部３０について説明する。図５はユニット接続部の構成を示す図である。ユニット接続部は、筐体配線板であるバックボード３０−１として構成され、スレーブユニット１０またはマスタユニット２０を搭載するためのコネクタＣ１が実装されて、どのスロット位置からも同じ信号を任意のスロットに分配できるように配線がなされる。この図の構成の場合、端から端までの配線が最長配線（長さをＬとする）となる。
【００５０】
図６はバックボード３０−１の変形例を示す図である。バックボード３０ａ−１は、柱形状（図では円柱）のバックボードである。このような構造のバックボード３０ａ−１であれば、各ユニット間の接続距離を図５の形状と比べて短くできるので、信号遅延が短縮できる。
【００５１】
図７は円柱の配線パターンを示す図である。図５で示した最長配線は円周に該当する。円柱バックボード３０ａ−１の配線として、配線パターン３０ａ−１ａ、３０ａ−１ｂの場合、最長配線（円の直径となる）の長さはＬ／πとなる。配線パターン３０ａ−１ｃでは、最長配線の長さはＬ／２であり、配線パターン３０ａ−１ｄでは、最長配線の長さはＬ／２以下である。このように、バックボード３０−１を円柱構造にして、各ユニットを放射状に挿入することで、各ユニットに対する信号遅延を等価に扱うことができ（端がないから）、ユニット間の信号遅延を考慮した配線設計が容易になる。
【００５２】
なお、配線パターン３０ａ−１ａでは、例えば、ほぼ中心に各スロットからの信号を集約し、この中心から他のスロットに信号を分配するように放射状に配線することで、各スロット間の伝送経路長が等しく設計しやすくなる。
【００５３】
図８は回転可能な円柱バックボードを示す図である。円柱バックボード３０ａ−１に回転台３１を取り付けて円柱バックボード３０ａ−１を回転可能とする。これにより、オペレータは、円柱バックボード３０ａ−１を回転させて、評価したいユニットを手元によせることができるので、保守効率が向上する。
【００５４】
次にユニット接続部３０における伝送を光ファイバで行う場合の実施の形態について説明する。図９はユニット接続部３０の伝送を光ファイバで行った際の全体構成を示す図である。ユニット接続部３０−２は、スロット毎に光接続部３００−１〜３００−ｎ、３００−（ｎ＋１）が設けられ、これら光接続部は光ファイバＦで接続される。図の光ファイバＦは、リング状にしているが直線状にしてもよい（直線状の構成については図１４〜図１７で後述）。このような構成にすることにより、信号の高速伝送が可能になる。
【００５５】
次に光接続部の構成について説明する。光接続部は、ＷＤＭ（Wavelength Division Multiplex）伝送の場合とバースト伝送を行う場合とで構成が異なるので、それぞれの伝送毎に説明する。図１０は光接続部の構成を示す図である。ＷＤＭ伝送時の光接続部の構成を示している。光接続部３００ａは、ハーフミラー３０１、３０２、波長選択部３０３、Ｏ／Ｅ（光／電気変換）部３０４、Ｅ／Ｏ（電気／光変換）部３０５から構成される。
【００５６】
ハーフミラー３０１は、波長多重された光信号を左側ユニットから受信すると、入射光の一部を反射して波長選択部３０３へ送信し、一部を透過してハーフミラー３０２へ送信する。波長選択部３０３は、受信した光信号からあらかじめ設定されている波長をフィルタリングし、Ｏ／Ｅ部３０４へ送信する。Ｏ／Ｅ部３０４は、受信したフィルタ透過光を電気信号に変換し、ユニットへ送信する。
【００５７】
Ｅ／Ｏ部３０５は、ユニットからの電気信号を光信号に変換し（ユニット固有の波長の光に変換する）、ハーフミラー３０２へ送信する。ハーフミラー３０２は、ハーフミラー３０１からの光信号を透過し、Ｅ／Ｏ部３０５からの光信号を反射して、合波した光信号を次段の右側ユニットへ送信する。
【００５８】
なお、ハーフミラー３０１、３０２は、透過光強度と反射光強度が完全に等しいミラーではなく、入射光の一部を透過、一部を反射させるミラーなので、伝送中、光は次第に減衰していき、光信号が周回して、あるユニットの波長の光が無限ループ化することはない。
【００５９】
図１１は光接続部の構成を示す図である。バースト伝送時の光接続部の構成を示している。光接続部３００ｂは、ハーフミラー３０１、３０２、Ｏ／Ｅ部３０４、Ｅ／Ｏ部３０５から構成される。ハーフミラー３０１は、光バースト信号（１波長の光信号である）を受信すると、一部を反射してＯ／Ｅ部３０４へ送信し、一部を透過してハーフミラー３０２へ送信する。Ｏ／Ｅ部３０４は、受信した光バースト信号を電気信号に変換し、ユニットへ送信する。
【００６０】
Ｅ／Ｏ部３０５は、ユニットからの電気信号を光信号に変換し、バースト形式でハーフミラー３０２へ送信する(各ユニットに割り当てられたタイミングで送信)。ハーフミラー３０２は、ハーフミラー３０１からの光信号を透過、あるいはＥ／Ｏ部３０５からの光信号を反射して、次段へ送信する。
【００６１】
図１２は光接続部の構成を示す図である。図は、バースト伝送時の光接続部の図１１とは異なる構成例である。光接続部３００ｃは、Ｏ／Ｅ部３０６、Ｅ／Ｏ部３０７、ＯＲ素子３０８、ＡＮＤ素子３０９、平衡伝送用のドライバ素子３１０及びレシーバ素子３１１、３１２から構成される。
【００６２】
素子の接続関係は、Ｏ／Ｅ部３０６の出力部は、ＯＲ素子３０８の一方の入力端子と、ドライバ３１０の入力端子と接続する。レシーバ３１１の出力端子は、ＯＲ素子３０８の他方の入力端子と接続し、ＯＲ素子３０８の出力端子は、ＡＮＤ素子３０９の一方の入力端子と接続する。レシーバ３１２の出力端子は、ＡＮＤ素子３０９の他方の入力端子と接続し、ＡＮＤ素子３０９の出力端子は、Ｅ／Ｏ部３０７の入力部と接続する。
【００６３】
ここで、Ｏ／Ｅ部３０６は、左側ユニットから送信された光バースト信号を電気信号Ｄ２に変換し、ＯＲ素子３０８とドライバ３１０へ送信する。ドライバ３１０は、受信した電気信号Ｄ２を差動信号にしてユニット側へ送信する。レシーバ３１１は、ユニットからのマスク差動信号を受信して、マスク信号Ｄ３をＯＲ素子３０８へ送信する。ＯＲ素子３０８は、Ｏ／Ｅ部３０６からの信号Ｄ２とマスク信号Ｄ３とのＯＲ論理をとって信号Ｄ４を出力する。
【００６４】
レシーバ３１２は、ユニットからの差動信号を受信し、出力信号Ｄ１をＡＮＤ素子３０９へ送信する。ＡＮＤ素子３０９は、ＯＲ素子３０８からの出力信号Ｄ４と、レシーバ３１２からの信号Ｄ１とのＡＮＤ論理をとって、出力信号Ｄ５をＥ／Ｏ部３０７へ送信する。
【００６５】
図１３は光接続部３００ｃにおけるマスク処理時のタイムチャートを示す図である。左側ユニットからの光信号をマスクして、自ユニットが送信した光信号が無限ループとなることを遮断する場合のタイムチャートを示している。
【００６６】
前段からの信号Ｄ２に対して、マスク信号Ｄ３を“Ｈ”としてマスクし、ＯＲ素子３０８の出力信号Ｄ４を“Ｈ”とする。そして、ＡＮＤ素子３０９において、出力信号Ｄ４の“Ｈ”と、ユニットからの信号Ｄ１とのＡＮＤ論理をとって、ＡＮＤ素子３０９の出力信号Ｄ５の論理のみをＥ／Ｏ部３０７へ送る。このような構成により、前段から送信された自ユニットの光信号を遮断して、ループ化の防止を行うことができる。
【００６７】
次に光ファイバＦを直線状にした場合の実施の形態について説明する。図１４は直線状の光ファイバで接続した際の全体構成を示す図である。ユニット接続部３０−３は、スロット毎に２面構成の光接続部が設けられ、これら光接続部は２本の光ファイバＦ１、Ｆ２でそれぞれ接続される。
【００６８】
すなわち、光接続部３１０ａ−１〜３１０ａ−ｎ、３１０ａ−（ｎ＋１）は光ファイバＦ１で接続され、右方向の伝送を行う場合には、光ファイバＦ１を用いて、光接続部３１０ａ−１〜３１０ａ−ｎ、３１０ａ−（ｎ＋１）による光接続制御が行われる。
【００６９】
また、光接続部３１０ｂ−１〜３１０ｂ−ｎ、３１０ｂ−（ｎ＋１）は光ファイバＦ２で接続され、左方向の伝送を行う場合には、光ファイバＦ２を用いて、光接続部３１０ｂ−１〜３１０ｂ−ｎ、３１０ｂ−（ｎ＋１）による光接続制御が行われる。なお、これらの光接続部は、図１０〜図１２と同様な回路構成であるので、光接続部の構成・動作の説明は省略する。
【００７０】
図１５は直線状の光ファイバで接続した際の全体構成を示す図である。１本の光ファイバの場合の構成を示している。ユニット接続部３０−４は、スロット毎に光接続部３２０−１〜３２０−ｎ、３２０−（ｎ＋１）が設けられ、これら光接続部は光ファイバＦ３で接続される。図の光ファイバＦ３は、双方向の伝送に使用する直線状の光ファイバである。
【００７１】
図１６は光接続部の構成を示す図である。ユニット接続部３０−４に対するＷＤＭ伝送時の光接続部の構成を示している。光接続部３２０ａは、ハーフミラー３２１、３２２、波長選択部３２３、Ｏ／Ｅ部３２４、Ｅ／Ｏ部３２５から構成される。また、図に示す位置に光ファイバＦ３ａ、Ｆ３ｂが設けられる。
【００７２】
左側ユニット→右側ユニットへの光信号の流れについては、ハーフミラー３２１は、波長多重された光信号ａ０を左側ユニットから受信すると、入射光の一部を反射して波長選択部３２３へ光信号ａ１を送信し、一部を透過してハーフミラー３２２へ光信号ａ２を送信する。波長選択部３２３は、受信した光信号ａ１からあらかじめ設定されている波長をフィルタリングし、Ｏ／Ｅ部３２４へ送信する。Ｏ／Ｅ部３２４は、受信したフィルタ透過光を電気信号に変換し、ユニット側へ送信する。
【００７３】
Ｅ／Ｏ部３２５は、ユニットからの電気信号を光信号ａ３に変換し（ユニット固有の波長の光に変換する）、ハーフミラー３２２へ送信する。ハーフミラー３２２は、ハーフミラー３２１からの光信号ａ２を透過し、Ｅ／Ｏ部３２５からの光信号ａ３を反射して、合波された波長多重信号ａ４を次段へ送信する。
【００７４】
右側ユニット→左側ユニットへの光信号の流れについては、Ｅ／Ｏ部３２５からの光信号ｂ１は、光ファイバＦ３ｂを通り、ハーフミラー３２２で反射し、また、右側ユニットから送信された波長多重信号ｂ０は、ハーフミラー３２２を透過することで、光信号ｂ０、ｂ１は合波され、波長多重信号ｂ２をハーフミラー３２１へ送信する。
【００７５】
波長多重信号ｂ２の一部はハーフミラー３２１を透過して、その透過信号ｂ３は左側ユニットへ送信する。また、波長多重信号ｂ２の一部はハーフミラー３２１で反射して、光ファイバＦ３ａを通り、この反射光ｂ４は波長選択部３２３へ送信され、波長選択部３２３でフィルタリングされる。以降の動作は同じである。
【００７６】
図１７は光接続部の構成を示す図である。ユニット接続部３０−４に対するバースト伝送時の光接続部の構成を示している。光接続部３２０ｂは、ハーフミラー３２１、３２２、Ｏ／Ｅ部３２４、Ｅ／Ｏ部３２５から構成される。また、図に示す位置に光ファイバＦ３ａ、Ｆ３ｂが設けられる。
【００７７】
左側ユニット→右側ユニットへの光信号の流れについては、ハーフミラー３２１は、光バースト信号ｃ０を左側ユニットから受信すると、入射光の一部を反射してＯ／Ｅ部３２４へ信号ｃ１を送信し、一部を透過してハーフミラー３２２へ信号ｃ２を送信する。Ｏ／Ｅ部３２４は、受信した信号ｃ１を電気信号に変換し、ユニット側へ送信する。
【００７８】
Ｅ／Ｏ部３２５は、ユニットからの電気信号を光信号ｃ３に変換し、ハーフミラー３２２へ送信する(各ユニットに割り当てられたタイミングで送信)。ハーフミラー３２２は、ハーフミラー３２１からの光信号ｃ２を透過、あるいはＥ／Ｏ部３２５からの光信号ｃ３を反射して、次段へ送信する。
【００７９】
右側ユニット→左側ユニットへの光信号の流れについては、Ｅ／Ｏ部３２５からの光信号ｄ１は、光ファイバＦ３ｂを通り、ハーフミラー３２２で反射し、あるいは右側ユニットから送信された光信号ｄ０は、ハーフミラー３２２を透過することで、光信号ｄ０または光信号ｄ１はハーフミラー３２１へ送信する。
【００８０】
光信号ｄ０または光信号ｄ１の一部は、ハーフミラー３２１を透過して、その透過信号ｄ３は左側ユニットへ送信する。また、光信号ｄ０または光信号ｄ１の一部はハーフミラー３２１で反射して、光ファイバＦ３ａを通り、この反射光ｄ４はＯ／Ｅ部３２４へ送信される。
【００８１】
次にユニット接続部３０における伝送を低電圧差動信号（ＬＶＤＳ：Low Voltage Differential Signaling）で行う場合の実施の形態について説明する。図１８はユニット接続部３０の伝送をＬＶＤＳで行った際の全体構成を示す図である。ユニット接続部３０−５は、スロット毎に信号接続部３３０−１〜３３０−ｎ、３３０−（ｎ＋１）が設けられ、これら信号接続部はＬＶＤＳラインＬ１、Ｌ２で接続される。
【００８２】
図１９は信号接続部の構成を示す図である。バースト伝送時の信号接続部の構成を示している。信号接続部３３０ａは、ＬＶＤＳ平衡伝送用のドライバ素子Ｄｒ１〜Ｄｒ４、ＬＶＤＳ平衡伝送用のレシーバ素子Ｒｅ１〜Ｒｅ４、ＡＮＤ素子ＩＣ１、ＩＣ２から構成される。
【００８３】
素子の接続関係は、レシーバＲｅ１の出力端子は、ＡＮＤ素子ＩＣ１の一方の入力端子と、ドライバＤｒ４の入力端子と接続する。レシーバＲｅ３の出力端子は、ＡＮＤ素子ＩＣ１の他方の入力端子と接続し、ＡＮＤ素子ＩＣ１の出力端子は、ドライバＤｒ１の入力端子と接続する。
【００８４】
レシーバＲｅ２の出力端子は、ＡＮＤ素子ＩＣ２の一方の入力端子と、ドライバＤｒ３の入力端子と接続する。レシーバＲｅ４の出力端子は、ＡＮＤ素子ＩＣ２の他方の入力端子と接続し、ＡＮＤ素子ＩＣ２の出力端子は、ドライバＤｒ２の入力端子と接続する。
【００８５】
ラインＬ１上の信号伝送に対し、レシーバＲｅ２は、右側ユニットから送信されたＬＶＤＳの差動信号を受信すると、シリアル信号Ｄ１２にして、ＡＮＤ素子ＩＣ２及びドライバＤｒ３へ送信する。ドライバＤｒ３は、受信信号Ｄ１２をＬＶＤＳの差動信号にしてユニット側へ送信する。
【００８６】
レシーバＲｅ４は、自ユニットから送信されたＬＶＤＳの差動信号を受信すると、シリアル信号Ｄ１１にして、ＡＮＤ素子ＩＣ２へ送信する。ＡＮＤ素子ＩＣ２は、レシーバＲｅ４、Ｒｅ２の出力信号Ｄ１１、Ｄ１２のＡＮＤ論理をとって出力信号Ｄ１３をドライバＤｒ２へ送信し、ドライバＤｒ２は、受信信号Ｄ１３をＬＶＤＳの差動信号にして左側ユニットへ送信する。ラインＬ１上の信号伝送も同様な流れである。なお、図２０に信号接続部３３０ａのバースト伝送時のタイムチャートを示す。
【００８７】
図２１はＬＶＤＳ伝送ラインをリング状にした場合の全体構成を示す図である。ユニット接続部３０−６は、スロット毎に信号接続部３４０−１〜３４０−ｎ、３４０−（ｎ＋１）が設けられ、これら信号接続部はリング状の２本のＬＶＤＳ伝送ラインＬ３、Ｌ４で接続される。ラインＬ３は主信号及び制御信号用のラインであり、ラインＬ４はクロック伝送ラインである。
【００８８】
図２２は信号接続部の構成を示す図である。信号接続部３４０ａは、ＬＶＤＳ平衡伝送用のドライバ素子Ｄｒ５〜Ｄｒ８、ＬＶＤＳ平衡伝送用のレシーバ素子Ｒｅ５〜Ｒｅ８、ＡＮＤ素子ＩＣ３、ＯＲ素子ＩＣ４から構成される。
【００８９】
各素子の接続関係は、レシーバＲｅ５の出力端子は、ＯＲ素子ＩＣ４の一方の入力端子と、ドライバＤｒ７の入力端子と接続し、レシーバＲｅ７の出力端子は、ＯＲ素子ＩＣ４の他方の入力端子と接続する。ＯＲ素子ＩＣ４の出力端子は、ＡＮＤ素子ＩＣ３の一方の入力端子と接続し、レシーバＲｅ８の出力端子は、ＡＮＤ素子ＩＣ３の他方の入力端子と接続し、ＡＮＤ素子ＩＣ３の出力端子は、ドライバＤｒ５の入力端子と接続する。また、レシーバＲｅ６の出力端子は、ドライバＤｒ６、Ｄｒ８の入力端子と接続する。
【００９０】
ここで、レシーバＲｅ５は、右側ユニットから送信されたＬＶＤＳの差動信号を受信すると、シリアル信号にして、ＯＲ素子ＩＣ４及びドライバＤｒ７へ送信する。また、レシーバＲｅ６は、右側ユニットから送信されたＬＶＤＳの差動クロック信号を受信すると、シリアル信号にして、ドライバＤｒ６、Ｄｒ８へ送信する。ドライバＤｒ６は、クロック信号をＬＶＤＳの差動信号にして左ユニット側へ送信する。ドライバＤｒ７、Ｄｒ８は、主信号及びクロック信号をそれぞれＬＶＤＳの差動信号にしてユニット側へ送信する。
【００９１】
ＯＲ素子ＩＣ４は、レシーバＲｅ５からの出力信号と、レシーバＲｅ７からのマスク信号のＯＲ論理をとって、出力信号をＡＮＤ素子ＩＣ３へ送信し、レシーバＲｅ８は、自ユニットから送信されたＬＶＤＳの差動信号を受信すると、シリアル信号にして、ＡＮＤ素子ＩＣ３へ送信する。
【００９２】
ＡＮＤ素子ＩＣ３は、ＯＲ素子ＩＣ４、レシーバＲｅ８の出力信号のＡＮＤ論理をとって、出力信号をドライバＤｒ５へ送信し、ドライバＤｒ５は、受信信号をＬＶＤＳの差動信号にして左側ユニットへ送信する。
【００９３】
図２３は信号接続におけるマスク処理時のタイムチャートを示す図である。自ユニットが出力した信号をマスクして無限ループとなることを遮断させる場合のタイムチャートを示している。
【００９４】
右側ユニットからの信号Ｄ２２に対して、マスク信号Ｄ２３を“Ｈ”としてマスクし、ＯＲ素子ＩＣ４の出力信号Ｄ２４を“Ｈ”とする。そして、ＡＮＤ素子ＩＣ３において、出力信号Ｄ２４の“Ｈ”と、ユニットからの信号Ｄ２１とのＡＮＤ論理をとって、ＡＮＤ素子ＩＣ３の出力信号Ｄ２５の論理のみを左側ユニットへ送る。このような構成により、周回してきた自己の信号を遮断して、ループ化することを防ぐことができる。
【００９５】
次にユニット接続部３０において、コンピュータの周辺機器用インタフェースを用いて、ユニット間を接続する場合の実施の形態について説明する。周辺機器用インタフェースとしては、ＰＣＩ（Peripheral Component Interconnect）バス規格の１つであるＰＣＩ−Ｅｘｐｒｅｓｓを利用した場合を例にして説明する（ＰＣＩ−Ｅｘｐｒｅｓｓは、シリアル・インタフェースで１心当たり片方向最大２．５Ｇｂ／ｓのインタフェースである）。
【００９６】
図２４はユニット接続部の構成を示す図である。ユニット接続部３０−７は、ＰＣＩスイッチ３５０ａ、バックボード３５０ｂから構成される。ＰＣＩスイッチ３５０ａは、各ユニットからの信号を高速転送する際のスイッチングを行うバススイッチである。バックボード３５０ｂは、ＰＣＩ−Ｅｘｐｒｅｓｓ用のコネクタＣ２（×ｎリンクのコネクタ）が搭載された配線板である。
【００９７】
ＰＣＩ−Ｅｘｐｒｅｓｓのスイッチ３５０ａを利用して、各スロットをバーチャルチャネルとすることで、汎用性、拡張性を高めることができる。なお、ＰＣＩ−Ｅｘｐｒｅｓｓを用いた構成にする場合は、図２、図３で示したスレーブユニット１０−１〜１０−ｎ及びマスタユニット２０のそれぞれのＩ／Ｆ部１４、２６の内部では、物理レイヤのリンク確立、データリンクレイヤのリンク確立などの制御が行われることになる（ＰＣＩ−Ｅｘｐｒｅｓｓでは、各レイヤに分けて仕様を定義しており、レイヤ毎にそれぞれコミュニケーションを可能とするため）。
【００９８】
また、図に示すように、１つのユニットが複数スロットを使用することで、容量が倍のユニットを実装することができ、処理能力をあげることが可能になる。さらに、スイッチ３５０ａに外部端末５０を接続することが可能になるため、保守効率を向上することができる。
【００９９】
また、マスタユニット及びスレーブユニットの他に、ＰＣＩ−Ｅｘｐｒｅｓｓを採用していれば、他の基板（ハードディスクや処理用のメモリなど）も実装できるようになる。さらにまた、シェルフ間の接続もＰＣＩ−Ｅｘｐｒｅｓｓで可能となるので、多段接続を容易に行うことが可能になる。
【０１００】
（付記１）  信号の伝送を行う伝送システムにおいて、
論理データが書き込まれたプログラマブル論理素子を制御するスレーブ制御部と、ユニットの機能及び動作状態を通知する状態通知部と、受信した論理データを前記プログラマブル論理素子に書き込む論理データ書き込み部と、から構成されるスレーブユニットと、
各ユニットの機能及び動作状態を認識する状態認識部と、機能毎の論理データを格納する論理データ格納部と、認識した状態にもとづき、プログラマブル論理素子に、各ユニットに対応した論理データを自動的に設定するために論理データを送信する論理データ送信部と、から構成されるマスタユニットと、
前記マスタユニット及び前記スレーブユニットのどの挿入用のスロット位置からも同じ信号を他スロットにも分配してユニット間を接続可能とするユニット接続部と、
を有することを特徴とする伝送システム。
【０１０１】
（付記２）  前記マスタユニット及び前記スレーブユニットは、共通の回路構成を持ち、プログラマブル論理素子の設定内容によって、各種機能を実行することを特徴とする付記１記載の伝送システム。
【０１０２】
（付記３）  電源立ち上げ時、または運用中に前記スレーブユニットを増設した時、前記状態通知部は、自己のユニットＩＤを前記マスタユニットへ送信し、前記状態認識部は、前記ユニットＩＤから前記スレーブユニットに対応する動作機能を認識し、前記論理データ送信部は、前記スレーブユニットへ動作機能の論理データを送信することを特徴とする付記１記載の伝送システム。
【０１０３】
（付記４）  前記スレーブユニットに障害が発生した場合、前記状態通知部は、障害情報を前記マスタユニットへ送信し、前記状態認識部は、障害情報から障害ユニットを認識し、前記論理データ送信部は、前記障害ユニットの動作機能の論理データを予備ユニットに送信して障害回復を行うことを特徴とする付記１記載の伝送システム。
【０１０４】
（付記５）  前記状態認識部は、実装された前記スレーブユニットの枚数から、前記スレーブユニットが動作すべき機能の組み合わせを判断し、前記論理データ送信部は、判断結果にもとづいて、前記スレーブユニットへ動作機能の論理データを送信することを特徴とする付記１記載の伝送システム。
【０１０５】
（付記６）  前記状態通知部は、障害確率情報を前記マスタユニットへ送信し、前記状態認識部は、前記障害確率情報から障害発生の可能性の高いスレーブユニットを判断し、前記論理データ送信部は、障害発生の可能性の高いスレーブユニットの動作機能の論理データを予備ユニットにあらかじめ送信しておき、障害発生を認識した場合には、前記予備ユニットに起動信号を送信することを特徴とする付記１記載の伝送システム。
【０１０６】
（付記７）  前記ユニット接続部のスロットは、柱形状のバックボードで構成され、前記スレーブユニット及び前記マスタユニットを放射状に挿入可能な位置に配置されたことを特徴とする付記１記載の伝送システム。
【０１０７】
（付記８）  前記ユニット接続部は、スロット間を接続する光ファイバと、スロット毎に設けられて、電気信号と光信号とを互いに変換してユニットを前記光ファイバに接続するための光接続制御を行う光接続部と、から構成され、前記光接続部は、ユニット間の伝送がＷＤＭ伝送またはバースト伝送のいずれかに対応した光接続制御を行うことを特徴とする付記１記載の伝送システム。
【０１０８】
（付記９）  前記光接続部は、前記光ファイバがリング状に構成される場合、ハーフミラーを用いて光信号を減衰させる、あるいは論理素子を用いて前記スレーブユニットまたは前記マスタユニットから送信されるマスク信号により、前段からの信号をマスク処理することで、周回してきた自己の信号を遮断することを特徴とする付記８記載の伝送システム。
【０１０９】
（付記１０）  前記ユニット接続部は、スロット間を接続する平衡伝送用ラインと、スロット毎に設けられて、電気信号と低電圧差動信号とを互いに変換してユニットを前記平衡伝送用ラインに接続するための信号接続制御を行う信号接続部と、から構成され、前記信号接続部は、ユニット間のバースト伝送に対応した信号接続制御を行うことを特徴とする付記１記載の伝送システム。
【０１１０】
（付記１１）  前記信号接続部は、前記平衡伝送用ラインがリング状に構成される場合、論理素子を用いて前記スレーブユニットまたは前記マスタユニットから送信されるマスク信号により、前段からの信号をマスク処理することで、周回してきた自己の信号を遮断することを特徴とする付記１０記載の伝送システム。
【０１１１】
（付記１２）  前記ユニット接続部は、コンピュータの周辺機器用インタフェースのスイッチングを行うスイッチ部と、周辺機器用インタフェースに対応した、ユニット搭載するためのコネクタを持つバックボードとを有し、前記スイッチ部による接続処理により、前記マスタユニット及び前記スレーブユニットのユニット間接続を行うことを特徴とする付記１記載の伝送システム。
【０１１２】
（付記１３）  マスタユニット内の前記論理データ格納部は、着脱可能な不揮発性記憶装置を用い、マスタユニットに搭載した状態での論理データの書き換え、ならびにマスタユニットから分離しての書き換え双方を行うことを特徴とする付記１記載の伝送システム。
【０１１３】
（付記１４）  スレーブユニット内の前記論理データ書き込み部は、プログラマブル論理素子に加えて、マイクロプロセッサのメモリ、または初期設定を必要とする素子に対応可能であることを特徴とする付記１記載の伝送システム。
【０１１４】
（付記１５）  前記論理データ格納部は、複数バージョンの論理データを保持し、必要に応じて選択的に適用可能とすることを特徴とする付記１記載の伝送システム。
（付記１６）  信号の伝送を行う伝送ユニットにおいて、
論理データでプログラマブル論理素子の機能を動作させる制御部と、
ユニットの機能及び動作状態を通知する状態通知部と、
受信した論理データをプログラマブル論理素子に書き込む論理データ書き込み部と、
各ユニットの機能及び動作状態を認識する状態認識部と、
ユニットの機能毎の論理データを格納する論理データ格納部と、
ユニットの状態にもとづき、ユニット内のプログラマブル論理素子に、各ユニットに対応した論理データを自動的に設定するために論理データを送信する論理データ送信部と、
を有することを特徴とする伝送ユニット。
【０１１５】
（付記１７）  ユニットの接続を行うユニット接続装置において、
スロット間を接続する光ファイバと、
スロット毎に設けられて、電気信号と光信号とを互いに変換し、ユニットを前記光ファイバに接続するために、ユニット間の伝送がＷＤＭ伝送またはバースト伝送のいずれかに対応した光接続制御を行う光接続部と、
を有することを特徴とするユニット接続装置。
【０１１６】
（付記１８）  ユニットの接続を行うユニット接続装置において、
スロット間を接続する平衡伝送用ラインと、
スロット毎に設けられて、電気信号と低電圧差動信号とを互いに変換し、ユニットを前記平衡伝送用ラインに接続するために、ユニット間のバースト伝送に対応した信号接続制御を行う信号接続部と、
を有することを特徴とするユニット接続装置。
【０１１７】
（付記１９）  ユニットの接続を行うユニット接続装置において、
コンピュータの周辺機器用インタフェースのスイッチングを行うスイッチ部と、
周辺機器用インタフェースに対応した、ユニット搭載するためのコネクタを持つバックボードと
を有することを特徴とするユニット接続装置。
【図面の簡単な説明】
【０１１８】
【図１】本発明の伝送システムの原理図である。
【図２】スレーブユニットの構成を示す図である。
【図３】マスタユニットの構成を示す図である。
【図４】障害発生時の動作を示す図である。
【図５】ユニット接続部の構成を示す図である。
【図６】バックボードの変形例を示す図である。
【図７】円柱の配線パターンを示す図である。
【図８】回転可能な円柱バックボードを示す図である。
【図９】ユニット接続部の伝送を光ファイバで行った際の構成を示す図である。
【図１０】光接続部の構成を示す図である。
【図１１】光接続部の構成を示す図である。
【図１２】光接続部の構成を示す図である。
【図１３】光接続部におけるマスク処理時のタイムチャートを示す図である。
【図１４】直線状の光ファイバで接続した際の全体構成を示す図である。
【図１５】直線状の光ファイバで接続した際の全体構成を示す図である。
【図１６】光接続部の構成を示す図である。
【図１７】光接続部の構成を示す図である。
【図１８】ユニット接続部の伝送をＬＶＤＳで行った際の全体構成を示す図である。
【図１９】信号接続部の構成を示す図である。
【図２０】信号接続部のバースト伝送時のタイムチャートを示す図である。
【図２１】ＬＶＤＳ伝送ラインをリング状にした場合の全体構成を示す図である。
【図２２】信号接続部の構成を示す図である。
【図２３】信号接続におけるマスク処理時のタイムチャートを示す図である。
【図２４】ユニット接続部の構成を示す図である。
【図２５】異なる構成のスレーブユニットを示す図である。
【符号の説明】
【０１１９】
１  伝送システム
１０−１〜１０−ｎ  スレーブユニット
１１  スレーブ制御部
１１ａ  プログラマブル論理素子（ＰＬＤ）
１２  状態通知部
１３  論理データ書き込み部
２０  マスタユニット
２２  状態認識部
２３  論理データ送信部
２４  論理データ格納部
３０  ユニット接続部
【図１】
2005136481.tif 000003
【図２】
2005136481.tif 000004
【図３】
2005136481.tif 000005
【図４】
2005136481.tif 000006
【図５】
2005136481.tif 000007
【図６】
2005136481.tif 000008
【図７】
2005136481.tif 000009
【図８】
2005136481.tif 000010
【図９】
2005136481.tif 000011
【図１０】
2005136481.tif 000012
【図１１】
2005136481.tif 000013
【図１２】
2005136481.tif 000014
【図１３】
2005136481.tif 000015
【図１４】
2005136481.tif 000016
【図１５】
2005136481.tif 000017
【図１６】
2005136481.tif 000018
【図１７】
2005136481.tif 000019
【図１８】
2005136481.tif 000020
【図１９】
2005136481.tif 000021
【図２０】
2005136481.tif 000022
【図２１】
2005136481.tif 000023
【図２２】
2005136481.tif 000024
【図２３】
2005136481.tif 000025
【図２４】
2005136481.tif 000026
【図２５】
2005136481.tif 000027